(57)【要約】【課題】極めて簡単な構造として、歯磨きペーストを軽くスムーズに押し出し、しかもクリーンな状態で歯磨きペーストを充填する。【解決手段】歯ブラシは、柄部２０に充填している歯磨きペーストを歯ブラシ部１０に供給してブラシ部１１から排出する。柄部２０は、本体筒３０と押出ロッド４０と回転ツマミ５０とを備える。本体筒３０は、先端側の充填筒部３１に歯磨きペーストを充填する。押出ロッド４０は、歯磨きペーストを押し出すピストン４１を先端に備え、ピストン４１の後側に雄ネジ４２を設けている。回転ツマミ５０は、本体筒３０に回転できるが軸方向に移動しないように連結している。歯ブラシは、回転ツマミ５０で、押出ロッド４０の雄ネジ４２に噛み合う雌ネジ３４、５２を押出ロッド４０に対して相対的に回転して押出ロッド４０を軸方向に移動し、押出ロッド４０のピストン４１で歯磨きペーストを歯ブラシ部１０に向かって押し出す。【選択図】図２
2007222422.tif 000002
【特許請求の範囲】
【請求項１】
歯磨きペーストを充填する柄部(20)と、この柄部(20)に連結している歯ブラシ部(10)とを備え、柄部(20)に充填している歯磨きペーストを歯ブラシ部(10)に供給してブラシ部(11)から排出するようにしてなる歯ブラシにおいて、
柄部(20)が、全体の形状を筒状としている本体筒(30)と、この本体筒(30)の内部に軸方向に移動するように配設されてなる押出ロッド(40)と、この押出ロッド(40)を軸方向に移動させる回転ツマミ(50)とを備えており、
本体筒(30)は、歯ブラシ部(10)を連結する先端側に、歯磨きペーストを充填する充填室(32)を内部に設けてなる充填筒部(31)を設けており、
押出ロッド(40)は、充填筒部(31)を軸方向に移動して歯磨きペーストを押し出すピストン(41)を先端に備えると共に、このピストン(41)の後側に雄ネジ(42)を設けており、
回転ツマミ(50)は、本体筒(30)に回転できるが軸方向に移動しないように連結されると共に、押出ロッド(40)の雄ネジ(42)に噛み合う雌ネジ(34)、(52)を押出ロッド(40)の雄ネジ(42)に対して相対的に回転するようにしており、
回転ツマミ(50)が、押出ロッド(40)の雄ネジ(42)に噛み合う雌ネジ(34)、(52)を押出ロッド(40)に対して相対的に回転して、押出ロッド(40)が軸方向に移動し、押出ロッド(40)のピストン(41)が充填室(32)の歯磨きペーストを歯ブラシ部(10)に向かって押し出すようにしてなる歯ブラシ。
【請求項２】
本体筒(30)が、充填筒部(31)の後端側に、内面に雌ネジ(34)を設けている雌ネジ筒部(33)を設けており、押出ロッド(40)は、後端部に雌ネジ筒部(33)の雌ネジ(34)に噛み合う雄ネジ(42)を設けており、さらに中心には軸方向に非円形軸孔(44)を後端に開口するように設けており、回転ツマミ(50)は、押出ロッド(40)の非円形軸孔(44)に軸方向に移動するが相対的に回転しないように挿入してなる非円形軸(54)を備え、
回転ツマミ(50)が非円形軸(54)を介して押出ロッド(40)を回転し、回転される押出ロッド(40)の雄ネジ(42)が雌ネジ筒部(33)の雌ネジ(34)を摺動して、押出ロッド(40)が軸方向に移動され、押出ロッド(40)のピストン(41)が充填室(32)の歯磨きペーストを歯ブラシ部(10)に向かって押し出すようにしてなる請求項１に記載される歯ブラシ。
【請求項３】
押出ロッド(40)のピストン(41)が、回転しないが軸方向に移動できるように充填室(32)に配設され、さらに、押出ロッド(40)は、ピストン(41)の後方に突出するように雄ネジ軸(43)を設けており、さらにまた、押出ロッド(40)の雄ネジ軸(43)に噛み合う雌ネジ孔(53)を回転ツマミ(50)の中心軸部に設けており、
回転ツマミ(50)が雌ネジ孔(53)を回転し、雌ネジ孔(53)が押出ロッド(40)の雄ネジ軸(43)を軸方向に移動して、ピストン(41)でもって充填室(32)の歯磨きペーストを歯ブラシ部(10)に向かって押し出すようにしてなる請求項１に記載される歯ブラシ。
【請求項４】
回転ツマミ(50)の内側に中間筒(60)を配設すると共に、回転ツマミ(50)の内面には雌ネジ(52)を設けて、この雌ネジ(52)に噛み合う雄ネジ(61)を中間筒(60)の外側に設けており、さらに中間筒(60)は内側には中間雌ネジ孔(63)を設けており、押出ロッド(40)は、中間筒(60)の中間雌ネジ孔(63)に噛み合う雄ネジ軸(43)をピストン(41)の後方に突出するように設けており、
回転ツマミ(50)が回転されて、中間筒(60)をピストン(41)の押出方向に移動させると共に、中間筒(60)が押出ロッド(40)をピストン(41)の押出方向に移動するようにしてなる請求項１に記載される歯ブラシ。
【請求項５】
歯ブラシ部(10)が、柄部(20)に回転できるように連結される中空状の連結軸(12)と、この連結軸(12)の先端に連結している無数の毛を植え付けしているブラシ部(11)とを備え、ブラシ部(11)は連結軸(12)の中空部に連通して歯磨きペーストを外部に排出する排出口(14)を開口しており、
柄部(20)は、本体筒(30)の充填室(32)に一端を連結している排出パイプ(73)を備え、この排出パイプ(73)は、連結軸(12)の中空部に回転できるように挿入されると共に、ブラシ部(11)の排出口(14)に歯磨きペーストを供給する開閉孔(74)を開口しており、
歯ブラシ部(10)を柄部(20)に対して回転して、排出パイプ(73)の開閉孔(74)をブラシ部(11)の排出口(14)で開閉するようにしてなる請求項１に記載される歯ブラシ。
【請求項６】
歯ブラシ部(10)が、ストッパ機構(80)を介して柄部(20)に連結され、ストッパ機構(80)が歯ブラシ部(10)と柄部(20)の連結位置を特定して、開閉孔(74)を排出口(14)に連結して、歯磨きペーストを排出するようにしてなる請求項５に記載される歯ブラシ。
【請求項７】
ストッパ機構(80)が、連結軸(12)に設けている弾性アーム(15)と、本体筒(30)に設けられて弾性アーム(15)の先端部を係止する係止部(75)とを備え、弾性アーム(15)を係止部(75)に案内して、歯ブラシ部(10)を柄部(20)の特定位置に連結する請求項６に記載される歯ブラシ。
【発明の詳細な説明】
【技術分野】
【０００１】
本発明は、柄部に歯磨きペーストを収納して、この歯磨きペーストを使用時にブラシ部に排出できる歯ブラシに関する。
【背景技術】
【０００２】
柄部に歯磨きペーストを充填して、使用時に排出できる歯ブラシは開発されている。（特許文献１ないし４参照）
【特許文献１】特開２００１−５７９０８号公報
【特許文献２】特開平１１−２８１２０号公報
【特許文献３】登録実用新案第３０５３０１１号公報
【特許文献４】特表２００２−５０３１２９号公報
【発明の開示】
【発明が解決しようとする課題】
【０００３】
特許文献１は、軸筒部内に収納している歯磨きペーストを、外部からの回転操作によって前方の歯ブラシ部に供給するペン型の歯ブラシが記載される。この歯ブラシは、軸筒部が回転操作部を構成し、軸筒部内に、歯磨きペースト充填カートリッジ、押圧部材及びねじ送り機構を装備し、押圧部材は、軸筒部の回転につれねじ送り機構を介して前方へ直進してカートリッジを圧縮変形させて、歯ブラシ部に歯磨きペーストを供給する。
【０００４】
この構造の歯ブラシは、カートリッジに歯磨きペーストを充填するので、構造が複雑になる。またカートリッジは、何回も繰り返し歯磨きペーストを再充填するのに手間がかかる欠点もある。さらに、カートリッジを押し潰して歯磨きペーストを排出するので、軽い操作でスムーズに歯磨きペーストを押し出すのが難しい。カートリッジを押し潰すための力を必要とするからである。
【０００５】
特許文献２は、ツマミを回転して歯磨きペーストを押し出しできる歯ブラシを記載している。この歯ブラシは、円筒の中に歯磨きペーストを充填し、この歯磨きペーストを押し出すピストンを回転しないが軸方向に移動するように設け、このピストンの中心に雌ネジ孔を設けて、雌ネジ孔に、ツマミに連結している雄ネジ軸を挿通し、ツマミで雄ネジ軸を回転してピストンを移動して、歯磨きペーストを押し出すようにしている。
【０００６】
特許文献３の歯ブラシ部は、歯磨きペーストを充填している柄筒部の内面に雌ネジを設け、この雌ネジに雄ネジ軸をねじ込んで、充填している歯磨きペーストを歯ブラシ部に押し出している。
【０００７】
特許文献２と３の歯ブラシは、歯磨きペーストの内部に雄ネジ軸を挿通し、あるいは柄筒部の内面に雌ネジを設けているので、クリーンな状態で使用するのが難しい。とくに、繰り返し歯磨きペーストを再充填して使用するとき、凹凸のある雄ネジ軸の表面や柄筒部内面の雌ネジを綺麗に清掃できない。このため、繰り返し再使用してクリーンな状態で使用できない欠点がある。また、雄ネジ軸にピストンの雌ネジ孔を摺動させ、あるいは柄筒部の雌ネジに雄ネジ軸を摺動させるので、この摺動部が歯磨きペーストに含まれる研磨剤で摩耗し、また、研磨剤で摩耗するピストンや雄ネジ軸のプラスチックや金属等が歯磨きペーストに混入する欠点がある。
【０００８】
特許文献４は、歯磨きペーストを充填している柄筒内にピストンを設け、このピストンに接続コードを連結し、接続コードを柄部の前部に設けたスピンドルで巻き取ってピストンを移動して、歯磨きペーストを押し出す歯ブラシが記載される。
【０００９】
この構造の歯ブラシも、歯磨きペーストの内部に接続コードを挿通し、さらに、この接続コードを歯磨きペーストの排出部に設けているスピンドルに巻き付けるので、この部分をクリーンな状態とするのが難しい。また、接続コードをスピンドルで巻き取ってピストンを移動させるので、互いに噛み合う雌ネジと雄ネジに比較すると、ピストンを安定して移動させるのが難しい欠点もある。
【００１０】
本発明は、このような欠点を解決することを目的に開発されたものである。本発明の重要な目的は、極めて簡単な構造としながら、歯磨きペーストを軽くスムーズに押し出しでき、しかも歯磨きペーストを充填する部分に雌ネジや雄ネジ、あるいはコード等を配設する必要がなく、クリーンな状態で歯磨きペーストを充填して排出できる歯ブラシを提供することにある。
【課題を解決するための手段】
【００１１】
本発明の歯ブラシは、前述の目的を達成するために以下の構成を備える。
歯ブラシは、歯磨きペーストを充填する柄部２０と、この柄部２０に連結している歯ブラシ部１０とを備え、柄部２０に充填している歯磨きペーストを歯ブラシ部１０に供給してブラシ部１１から排出する。柄部２０は、全体の形状を筒状としている本体筒３０と、この本体筒３０の内部に軸方向に移動するように配設されてなる押出ロッド４０と、この押出ロッド４０を軸方向に移動させる回転ツマミ５０とを備える。本体筒３０は、歯ブラシ部１０を連結する先端側に、歯磨きペーストを充填する充填室３２を内部に設けてなる充填筒部３１を設けている。押出ロッド４０は、充填筒部３１を軸方向に移動して歯磨きペーストを押し出すピストン４１を先端に備えると共に、このピストン４１の後側に雄ネジ４２を設けている。回転ツマミ５０は、本体筒３０に回転できるが軸方向に移動しないように連結されると共に、押出ロッド４０の雄ネジ４２に噛み合う雌ネジ３４、５２を、押出ロッド４０の雄ネジ４２に対して相対的に回転するようにしている。歯ブラシは、回転ツマミ５０で、押出ロッド４０の雄ネジ４２に噛み合う雌ネジ３４、５２を押出ロッド４０に対して相対的に回転して、押出ロッド４０を軸方向に移動し、押出ロッド４０のピストン４１が充填室３２の歯磨きペーストを歯ブラシ部１０に向かって押し出す。
【００１２】
本発明の歯ブラシは、本体筒３０が、充填筒部３１の後端側に、内面に雌ネジ３４を設けている雌ネジ筒部３３を設けると共に、押出ロッド４０は、後端部に雌ネジ筒部３３の雌ネジ３４に噛み合う雄ネジ４２を設けて、さらに中心には軸方向に非円形軸孔４４を後端に開口するように設けて、回転ツマミ５０は、押出ロッド４０の非円形軸孔４４に軸方向に移動するが相対的に回転しないように挿入してなる非円形軸５４を備えることができる。この歯ブラシは、回転ツマミ５０が非円形軸５４を介して押出ロッド４０を回転し、回転される押出ロッド４０の雄ネジ４２が雌ネジ筒部３３の雌ネジ３４を摺動して押出ロッド４０を軸方向に移動し、押出ロッド４０のピストン４１が充填室３２の歯磨きペーストを歯ブラシ部１０に向かって押し出すことができる。
【００１３】
本発明の歯ブラシは、押出ロッド４０のピストン４１を、回転しないが軸方向に移動できるように充填室３２に配設すると共に、押出ロッド４０は、ピストン４１の後方に突出するように雄ネジ軸４３を設けて、さらに、押出ロッド４０の雄ネジ軸４３に噛み合う雌ネジ孔５３を回転ツマミ５０の中心軸部に設けることができる。この歯ブラシは、回転ツマミ５０が雌ネジ孔５３を回転し、雌ネジ孔５３が押出ロッド４０の雄ネジ軸４３を軸方向に移動して、ピストン４１でもって充填室３２の歯磨きペーストを歯ブラシ部１０に向かって押し出すことができる。
【００１４】
本発明の歯ブラシは、回転ツマミ５０の内側に中間筒６０を配設することができる。この歯ブラシは、回転ツマミ５０の内面に雌ネジ５２を設けて、この雌ネジ５２に噛み合う雄ネジ６１を中間筒６０の外側に設け、さらに中間筒６０の内側には中間雌ネジ孔６３を設けて、押出ロッド４０は、中間筒６０の中間雌ネジ孔６３に噛み合う雄ネジ軸４３をピストン４１の後方に突出するように設けることができる。この歯ブラシは、回転ツマミ５０を回転させて、中間筒６０をピストン４１の押出方向に移動させると共に、中間筒６０が押出ロッド４０をピストン４１の押出方向に移動させることができる。
【００１５】
本発明の歯ブラシは、歯ブラシ部１０が、柄部２０に回転できるように連結される中空状の連結軸１２と、この連結軸１２の先端に連結している無数の毛を植え付けしているブラシ部１１とを備え、ブラシ部１１が連結軸１２の中空部に連通して歯磨きペーストを外部に排出する排出口１４を開口すると共に、柄部２０が、本体筒３０の充填室３２に一端を連結している排出パイプ７３を備え、この排出パイプ７３を連結軸１２の中空部に回転できるように挿入すると共に、ブラシ部１１の排出口１４に歯磨きペーストを供給する開閉孔７４を開口することができる。この歯ブラシは、歯ブラシ部１０を柄部２０に対して回転して、排出パイプ７３の開閉孔７４をブラシ部１１の排出口１４で開閉することができる。
【００１６】
本発明の歯ブラシは、歯ブラシ部１０を、ストッパ機構８０を介して柄部２０に連結し、ストッパ機構８０で歯ブラシ部１０と柄部２０の連結位置を特定して、開閉孔７４を排出口１４に連結して、歯磨きペーストを排出することができる。さらに、この歯ブラシは、ストッパ機構８０が、連結軸１２に設けている弾性アーム１５と、本体筒３０に設けられて弾性アーム１５の先端部を係止する係止部７５とを備え、弾性アーム１５を係止部７５に案内して、歯ブラシ部１０を柄部２０の特定位置に連結することができる。
【発明の効果】
【００１７】
本発明の歯ブラシは、極めて簡単な構造としながら、歯磨きペーストを軽くスムーズに押し出しでき、しかも歯磨きペーストを充填する部分に雌ネジや雄ネジ、あるいはコード等を配設する必要がなく、クリーンな状態で歯磨きペーストを充填して排出できる特徴がある。それは、本発明の歯ブラシが、歯ブラシ部を柄部に連結する構造とし、さらに柄部を、筒状の本体筒と、この本体筒の内部に軸方向に移動するように配設している押出ロッドと、この押出ロッドを軸方向に移動させる回転ツマミとで構成し、本体筒には、歯ブラシ部を連結する先端側に、歯磨きペーストを充填する充填室を内部に設け、押出ロッドには、充填筒を軸方向に移動して歯磨きペーストを押し出すピストンを先端に設け、このピストンの後側には雄ネジを設け、さらに、回転ツマミは、本体筒に回転できるが軸方向に移動しないように連結して、押出ロッドの雄ネジに噛み合う雌ネジを押出ロッドの雄ネジに対して相対的に回転するようにしており、回転ツマミが、押出ロッドの雄ネジに噛み合う雌ネジを押出ロッドに対して相対的に回転して、押出ロッドを軸方向に移動し、押出ロッドのピストンで充填室の歯磨きペーストを押し出すようにしているからである。
【００１８】
とくに、本発明の請求項２の歯ブラシは、全体の構造を簡単にしながら、歯磨きペーストをスムーズに押し出しできる。それは、ピストンを本体筒の充填室の内部で回転させながら前進させるので、充填筒を簡単に成形できる円筒状にできるからである。
【００１９】
さらに、本発明の請求項３の歯ブラシは、回転ツマミに雌ネジ孔を設けて、この雌ネジ孔に噛み合う雄ネジを押出ロッドに設け、押出ロッドを回転させないで回転ツマミを回転させて押出ロッドを軸方向に移動させる。この構造の歯ブラシは、回転ツマミと押出ロッドに互いに噛み合う雌ネジと雄ネジを設けて、回転ツマミで直接に押出ロッドを軸方向に移動させるので、押出ロッドのピストンを確実に安定して駆動して、歯磨きペーストを押し出しできる。
【００２０】
さらに、本発明の請求項４の歯ブラシは、回転ツマミと押出ロッドとの間に中間筒を配設して、中間筒でもって押出ロッドのピストンを２段に押し出しできる。このため、柄部の全長を短くしてピストンの押し出しストロークを大きく、すなわち、多量の歯磨きペーストを押し出しできる特徴がある。
【００２１】
また、本発明の請求項５の歯ブラシは、歯ブラシ部を柄部に対して回転して、歯磨きペーストの押出状態と、押出を停止する状態にできる。このため、歯ブラシを使用しないときに、歯磨きペーストが漏れるのを防止して、綺麗に衛生的に使用できる。
【発明を実施するための最良の形態】
【００２２】
以下、本発明の実施例を図面に基づいて説明する。ただし、以下に示す実施例は、本発明の技術思想を具体化するための歯ブラシを例示するものであって、本発明は歯ブラシを以下のものに特定しない。
【００２３】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２４】
図１に示す歯ブラシは、歯磨きペーストを充填する柄部２０と、この柄部２０に脱着できるように連結している歯ブラシ部１０とを備える。この歯ブラシは、柄部２０に充填している歯磨きペーストを歯ブラシ部１０に供給してブラシ部１１から排出する。
【００２５】
柄部２０は、図２ないし図７の断面図に示すように、全体の形状を筒状とする本体筒３０と、この本体筒３０の内部に軸方向に移動するように配設している押出ロッド４０と、この押出ロッド４０を軸方向に移動させる回転ツマミ５０とを備えている。
【００２６】
図２と図３の本体筒３０は、硬質材で筒状に成形している。硬質材には、たとえば、硬質のプラスチック、あるいは、アルミニウムやアルミニウム合金等の金属が使用できる。この本体筒３０は、歯ブラシ部１０を連結する先端側を充填筒部３１として、後端側を雌ネジ筒部３３としている。図の本体筒３０は、先端側の約半分を充填筒部３１として、後端側の約半分を雌ネジ筒部３３としている。充填筒部３１は、円筒状で内側には歯磨きペーストを充填する充填室３２を設けている。雌ネジ筒部３３は内面に雌ネジ３４を設けている。さらに、本体筒３０は、雌ネジ筒部３３の後端に、回転ツマミ５０を回転できるように連結する円形の連結溝３５を設けている。
【００２７】
押出ロッド４０は、充填筒部３１を軸方向に移動して歯磨きペーストを押し出すピストン４１を先端に、このピストン４１の後側に雄ネジ軸４３を突出して設けている。ピストン４１は外周面に環状溝を設けて、ここにＯリング４９を入れている。雄ネジ軸４３は、ピストン４１を充填室３２に最も後退させる状態で、後端を雌ネジ筒部３３の後端に位置させる長さ、いいかえると、雌ネジ筒部３３の長さにほぼ等しくしている。この雄ネジ軸４３は、後端部に雌ネジ筒部３３の雌ネジ３４に噛み合う雄ネジ４２を設けている。
【００２８】
さらに、押出ロッド４０は、中心に軸方向に延びる非円形軸孔４４を後端に開口して設けている。非円形軸孔４４は、断面形状を四角形、多角形、楕円形とする細長い孔である。この非円形軸孔４４は、押出ロッド４０の後端からピストン４１まで、ピストン４１を貫通しないように設けている。
【００２９】
回転ツマミ５０は、本体筒３０の後端部に、回転できるが軸方向に移動しないように連結される。図の回転ツマミ５０は、本体筒３０の後端に設けた連結溝３５に摺動できるように案内される円形凸条５５を、本体部３０の内面に向かって突出して設けている。この円形凸条５５が連結溝３５に入れられて、回転ツマミ５０は回転できるように本体筒３０に連結される。さらに、図２の回転ツマミ５０は、本体筒３０の外側を摺動できるようにカバーするツマミ筒５６を設けている。この回転ツマミ５０は、ツマミ筒５６の幅を広くできるので、ここを手で掴んで簡単に回転できる。
【００３０】
さらに、回転ツマミ５０は、押出ロッド４０の非円形軸孔４４に軸方向に移動できるように挿入される非円形軸５４を一体的に成形して設けている。非円形軸５４は、押出ロッド４０の非円形軸孔４４に、軸方向に移動できるが回転しないように挿入される。したがって、非円形軸５４の外形は、非円形軸孔４４の内形よりもわずかに小さく成形される。四角孔の非円形軸孔４４に、四角柱の非円形軸５４が挿入される。非円形軸５４の長さは、非円形軸孔４４の長さにほぼ等しく、図に示すように、ピストン４１を最も後退させる状態で、非円形軸５４は非円形軸孔４４に奥まで挿入される。
【００３１】
この構造の柄部２０は、図２に示すように、ピストン４１を最も後退させる状態で、充填室３２に歯磨きペーストを充填する。このとき、押出ロッド４０の雄ネジ軸４３は、本体筒３０の雌ネジ筒部３３に収納される。また、回転ツマミ５０の非円形軸５４は、押出ロッド４０の非円形軸孔４４に挿入される。この柄部２０は、以下のようにして、充填筒部３１の充填室３２に充填している歯磨きペーストを押し出す。
【００３２】
(1)  回転ツマミ５０が右に回転される。回転ツマミ５０は、本体筒３０の後端に連結されて、軸方向には移動しないで回転される。
(2)  回転される回転ツマミ５０は、押出ロッド４０を回転させる。回転ツマミ５０の非円形軸５４を、押出ロッド４０の非円形軸孔４４に挿入しているからである。
(3)  押出ロッド４０が右に回転されると、押出ロッド４０の雄ネジ４２が、雌ネジ筒部３３の内面に設けている雌ネジ３４に噛み合って回転されて、押出ロッド４０がピストン４１を押し出す方向に移動される。
(4)  移動するピストン４１は、充填室３２の歯磨きペーストを歯ブラシ部１０に向かって押し出す。
【００３３】
図２の柄部２０は、押出ロッド４０の雄ネジ軸４３を収納するために、本体筒３０に雌ネジ筒部３３を設けている。図４の柄部２０は、押出ロッド４０の雄ネジ軸４３を回転ツマミ５０に収納している。したがって、図４の本体筒３０は、歯ブラシ部１０を連結する先端側を充填筒部３１として、後端部に、回転ツマミ５０を軸方向に移動させないで回転できるように連結する連結溝３５を設けている。この本体筒３０は、全体の半分以上を充填筒部３１としている。充填筒部３１は、押出ロッド４０のピストン４１を回転しないで軸方向に移動させる。したがって、充填筒部３１は、図５に示すように、内形の断面を楕円形、外形の断面を円形とする筒状としている。ただし、充填筒部は、内形を必ずしも楕円形とする必要はなく、断面を多角形とする筒状として、ピストンを回転しないで軸方向に移動できる。
【００３４】
押出ロッド４０は、充填筒部３１を軸方向に移動して歯磨きペーストを押し出すピストン４１を先端に、このピストン４１の後側に雄ネジ軸４３を突出して設けている。ピストン４１は外周面に沿って環状溝を設けて、ここにＯリング４９を入れている。雄ネジ軸４３は、ピストン４１を充填室３２に最も後退させる状態で、後端を回転ツマミ５０の後端に位置させる長さ、いいかえると、ピストン４１のストロークに等しくしている。この雄ネジ軸４３は、全体に回転ツマミ５０の雌ネジ５２に噛み合う雄ネジ４２を設けている。
【００３５】
回転ツマミ５０は、本体筒３０の後端部に、回転できるが軸方向に移動しないように連結される。図の回転ツマミ５０は、本体筒３０の後端部に設けた連結溝３５に摺動できるように案内される円形凸条５５を本体部３０の内面に向かって突出して設けている。この円形凸条５５が連結溝３５に入れられて、回転ツマミ５０は回転できるように本体筒３０に連結される。さらに、図４の回転ツマミ５０は、本体筒３０から後方に突出する長さを有し、押出ロッド４０の雄ネジ軸４３を案内する雌ネジ孔５３を中心軸部に設けている。回転ツマミ５０の本体筒３０から後方に突出する部分は、本体筒３０の外形に等しい円筒状としている。回転ツマミ５０の雌ネジ孔５３は、押出ロッド４０の雄ネジ軸４３を挿入できる長さとしている。図４の回転ツマミ５０は、雌ネジ孔５３の開口部にのみ、雄ネジ軸４３に噛み合う雌ネジ５２を設けているが、図６に示すように、雌ネジ孔５３の全体に、雄ネジ軸４３に噛み合う雌ネジ５２を設けることもできる。
【００３６】
この構造の柄部２０は、図４と図６に示すように、ピストン４１を最も後退させる状態で、充填室３２に歯磨きペーストを充填する。このとき、押出ロッド４０の雄ネジ軸４３は、回転ツマミ５０の雌ネジ孔５３に挿入される。以下のようにして、充填筒部３１の充填室３２に充填している歯磨きペーストを押し出す。
【００３７】
(1)  回転ツマミ５０が右に回転される。回転ツマミ５０は、本体筒３０の後端に連結されて、軸方向には移動しないで回転される。
(2)  右に回転される回転ツマミ５０は、雌ネジ孔５３の雌ネジ５２を回転させる。
(3)  雌ネジ孔５３の雌ネジ５２は、押出ロッド４０の雄ネジ軸４３の雄ネジ４２に噛み合っているので、雄ネジ軸４３を軸方向に移動させる。雄ネジ軸４３は、軸方向には移動できるが、回転しないように本体筒３０に連結しているからである。
(4)  軸方向に移動される雄ネジ軸４３は、充填室３２のピストン４１を軸方向に移動させて、歯磨きペーストを充填室３２から歯ブラシ部１０に向かって押し出す。
【００３８】
さらに、図７の柄部２０は、回転ツマミ５０の内側に中間筒６０を配設している。この柄部２０の本体筒３０は、図４の本体筒３０と同じように、歯ブラシ部１０を連結する先端側を充填筒部３１として、後端部に回転ツマミ５０を軸方向に移動させないで回転できるように連結する連結溝３５を設けている。この本体筒３０は、全体の半分以上を充填筒部３１としている。充填筒部３１は、押出ロッド４０のピストン４１を回転しないで軸方向に移動させる。したがって、充填筒部３１は、内形の断面を楕円形、外形の断面を円形とする筒状としている。ただし、充填筒部は、内形を必ずしも楕円形とする必要はなく、断面を多角形とする筒状として、ピストンを回転しないで軸方向に移動できる。
【００３９】
押出ロッド４０は、充填筒部３１を軸方向に移動して歯磨きペーストを押し出すピストン４１を先端に、このピストン４１の後側に雄ネジ軸４３を突出して設けている。ピストン４１は、外周面に沿って環状溝を設けて、ここにＯリング４９を入れている。雄ネジ軸４３は、ピストン４１を充填室３２に最も後退させる状態で、後端を回転ツマミ５０の後端に位置させる長さ、いいかえると、ピストン４１のストロークに等しくしている。この雄ネジ軸４３は、全体に中間筒６０の雌ネジ６２に噛み合う雄ネジ４２を設けている。
【００４０】
回転ツマミ５０は、本体筒３０の後端部に、回転できるが軸方向に移動しないように連結される。図の回転ツマミ５０は、本体筒３０の後端部に設けた連結溝３５に摺動できるように案内される円形凸条５５を、本体筒３０の内面に向かって突出して設けている。この円形凸条５５が連結溝３５に入れられて、回転ツマミ５０は回転できるように本体筒３０に連結される。さらに、図７の回転ツマミ５０は、本体筒３０から後方に突出する長さを有し、中間筒６０を案内する雌ネジ孔５３を中心軸部に設けている。本体筒３０から後方に突出する回転ツマミ５０の後端部分は、本体筒３０の外形に等しい円筒状としている。回転ツマミ５０の雌ネジ孔５３は、中間筒６０を挿入できる長さとしている。雌ネジ孔５３は、全体に中間筒６０の雄ネジ６１に噛み合う雌ネジ５２を設けている。
【００４１】
中間筒６０は中空筒状で、外側の後端部には、回転ツマミ５０の雌ネジ孔５３の雌ネジ５２に噛み合う雄ネジ６１を設けて、内側には、押出ロッド４０の雄ネジ軸４３の雄ネジ４２に噛み合う中間雌ネジ孔６３を設けている。図の中間筒６０は、中間雌ネジ孔６３の開口部にのみ、雄ネジ軸４３に噛み合う雌ネジ６２を設けているが、中間筒の全体に、雄ネジ軸の雄ネジに噛み合う雌ネジを設けることもできる。
【００４２】
中間筒６０は回転できるように、回転ツマミ５０の内側に配設される。したがって、回転ツマミ５０を回転させるとき、中間筒６０は回転ツマミ５０と一緒に回転され、あるいは回転されない。回転する回転ツマミ５０と一緒に回転されない中間筒６０は、回転ツマミ５０に対して軸方向には移動しないが、押出ロッド４０を軸方向に移動させる。回転する回転ツマミ５０に対して回転しない中間筒６０は、回転ツマミ５０に対して軸方向に移動される。回転ツマミ５０が右に回転されるとき、中間筒６０は回転ツマミ５０に対してピストン４１の押出方向に移動し、また、押出ロッド４０は中間筒６０に対してピストン４１の押出方向に移動する。回転ツマミ５０を回転させるときに、中間筒６０が回転するかしないかは、回転ツマミ５０と中間筒６０との摩擦抵抗と、中間筒６０と押出ロッド４０との摩擦抵抗の大きさで特定される。回転ツマミ５０と中間筒６０との摩擦抵抗が、中間筒６０と押出ロッド４０との摩擦抵抗よりも大きいと、回転ツマミ５０を回転するときに、中間筒６０は回転ツマミ５０と一緒に回転される。ただし、押出ロッド４０と中間筒６０は、移動距離を特定するために抜止ストッパ４５、６５を設けているので、この抜止ストッパ４５、６５が当接して軸方向の移動が制止される状態では、軸方向の移動が制止されない部材が移動する。
【００４３】
この構造の柄部２０は、図７に示すように、ピストン４１を最も後退させる状態で、充填室３２に歯磨きペーストを充填する。このとき、中間筒６０と押出ロッド４０は、最も後退する位置にある。したがって、中間筒６０は回転ツマミ５０の雌ネジ孔５３に挿入され、押出ロッド４０の雄ネジ軸４３は、中間筒６０の中間雌ネジ孔６３に挿入される位置にある。この柄部２０は、以下のようにして、充填筒の充填室３２に充填している歯磨きペーストを押し出す。
【００４４】
(1)  回転ツマミ５０が右に回転される。回転ツマミ５０は、本体筒３０の後端に連結されて、軸方向には移動しないで回転される。
(2)  右回転する回転ツマミ５０と一緒に中間筒６０が回転されると、中間筒６０の中間雌ネジ孔６３の雌ネジ６２を回転させる。
(3)  中間筒６０の中間雌ネジ孔６３の雌ネジ６２は、押出ロッド４０の雄ネジ軸４３の雄ネジ４２に噛み合っているので、雄ネジ軸４３を軸方向に移動させる。雄ネジ軸４３は、軸方向には移動できるが、回転しないように本体筒３０に連結しているからである。
(4)  軸方向に移動される雄ネジ軸４３は、充填室３２のピストン４１を軸方向に移動させて、歯磨きペーストを充填室３２から歯ブラシ部１０に向かって押し出す。
(5)  押出ロッド４０の抜止ストッパ４５が中間筒６０の鍔６６に当接して、ピストン４１の移動が制止されると、中間筒６０の回転が押出ロッド４０で制止される。
(6)  回転ツマミ５０を回転して中間筒６０が回転しないと、中間筒６０が回転ツマミ５０に対してピストン４１の押出方向に移動される。回転ツマミ５０の雌ネジ孔５３の雌ネジ５２と、中間筒６０の雄ネジ６１とが噛み合っているからである。
(7)  軸方向に移動する中間筒６０は、ピストン４１をさらに押出方向に移動させて、歯磨きペーストを充填室３２から押し出す。この状態で、ピストン４１は上端まで移動される。
【００４５】
以上の動作は、回転ツマミ５０を右に回転させるとき、最初に中間筒６０が回転ツマミ５０と一緒に回転し、押出ロッド４０の抜止ストッパ４５が押出ロッド４０の軸方向の移動を制止した後は、中間筒６０の回転が停止されて、中間筒６０を軸方向に押し出す。ただ、図７の柄部２０は、中間筒６０の回転を自由にするので、回転ツマミ５０を回転させるとき、最初に中間筒６０が回転しないで軸方向に移動され、中間筒６０の抜止ストッパ６５が本体筒３０に設けている鍔部３６に当接して制止された後、中間筒６０が回転ツマミ５０と一緒に回転して、押出ロッド４０を軸方向に移動させることもある。また、回転ツマミ５０を回転させるとき、中間筒６０が回転ツマミ５０とは一緒に回転しないが、回転ツマミ５０よりも遅く回転して、中間筒６０を回転ツマミ５０に対して軸方向に移動させ、また、押出ロッド４０を中間筒６０に対して軸方向に移動させることもある。
【００４６】
歯ブラシ部１０は、図８と図９に示すように、柄部２０に回転できるように連結される中空状の連結軸１２と、この連結軸１２の先端に連結している無数の毛を植え付けしているブラシ部１１とを備える。歯ブラシ部１０の連結軸１２を連結するために、柄部２０は、本体筒３０の先端に、充填筒部３１の先端開口部を閉塞する蓋材７０を固定している。
【００４７】
蓋材７０は円筒等の筒状で中間に隔壁７１を設け、この隔壁７１でもって、本体筒３０に連結される本体側と、歯ブラシ部１０を連結するブラシ側とに区画している。本体側は、内面に雌ネジ７２を設けている。この雌ネジ７２は、本体筒３０の先端部でその外周に設けている雄ネジ３７にねじ込まれて、蓋材７０を本体筒３０に連結する。
【００４８】
隔壁７１は中心に排出パイプ７３を連結している。排出パイプ７３は可撓性のパイプで、連結軸１２の中空部に回転できるように挿入される。さらに、この排出パイプ７３は、ブラシ部１１の排出口１４に歯磨きペーストを供給する開閉孔７４を開口している。
【００４９】
蓋材７０のブラシ側は、内側に脱着できるように連結軸１２を挿入して、歯ブラシ部１０を連結する。歯ブラシ部１０は、蓋材７０のブラシ側に挿入されて、回転できるように連結される。歯ブラシ部１０は、ストッパ機構８０を介して柄部２０の蓋材７０に連結される。ストッパ機構８０は、歯ブラシ部１０と柄部２０の連結位置、いいかえると歯ブラシ部１０の柄部２０に対する回転位置を特定して、歯磨きペーストを排出できる状態と、排出されない状態に切り換える。
【００５０】
図の歯ブラシは、ストッパ機構８０を、歯ブラシ部１０の連結軸１２に設けている弾性アーム１５と、本体筒３０の蓋材７０に設けられて弾性アーム１５の先端部を係止する係止部７５とで実現される。このストッパ機構８０は、弾性アーム１５の凸部１６を係止部７５に案内して、歯ブラシ部１０を柄部２０の特定位置に停止する。ストッパ機構８０は、歯磨きペーストを排出できる開位置と、歯磨きペーストを排出を停止する閉位置に、歯ブラシ部１０を停止させる。
【００５１】
蓋材７０のブラシ側は、弾性アーム１５の係止部７５として、内面に弾性アーム１５の凸部１６を嵌着できる嵌着凹部７６を設けている。嵌着凹部７６は、歯ブラシ部１０の開位置と閉位置において、弾性アーム１５の凸部１６を案内する位置に設けられる。したがって、開位置と閉位置の嵌着凹部７６は、歯ブラシ部１０の回転方向に離して配設される。開位置と閉位置の嵌着凹部７６は、回転方向にのびるスリット７７で連結している。スリット７７は、弾性アーム１５から外側に突出している押しボタン１７を、案内して蓋材７０のブラシ側の外側に配設する。押しボタン１７は、これを押して弾性アーム１５を弾性変形させる。押しボタン１７は、柄部２０の外側に排出される頭部１７Ａと、この頭部１７Ａを弾性アーム１５に連結するロッド部１７Ｂとからなり、頭部１７Ａを大きくして、ロッド部１７Ｂをスリット７７に通過できるように細くしている。さらに、スリット７７は、ブラシ側の開口縁に延長している。このスリット７７に、押しボタン１７のロッド部１７Ｂを入れて、歯ブラシ部１０を柄部２０に連結する。
【００５２】
連結軸１２は、柄部２０の蓋材７０に挿入して連結する筒部１３を後端に設けて、この筒部１３に弾性アーム１５を設けている。弾性アーム１５は、筒部１３を、軸方向に平行に延びるように２列に切断して、切断部の間に弾性アーム１５を設けている。弾性アーム１５は、先端部に、蓋材７０の嵌着凹部７６に案内される凸部１６を設けている。さらに、弾性アーム１５は、押しボタン１７を連結している。また、連結軸１２は、内部の中空部に連通して、歯磨きペーストを外部に排出する排出口１４をブラシ部１１に開口している。
【００５３】
以上の構造の歯ブラシ部１０は、連結軸１２の先端に設けている筒部１３を、柄部２０の蓋材７０に挿入して柄部２０に連結される。このとき、押しボタン１７のロッド部１７Ｂを、蓋材７０のブラシ側に設けているスリット７７に入れ、弾性アーム１５の凸部１６を嵌着凹部７６に案内する。歯ブラシ部１０を左右に回転させると、弾性アーム１５の凸部１６は、開位置と閉位置の嵌着凹部７６に案内される。弾性アーム１５の凸部１６が開位置の嵌着凹部７６に案内される状態で、排出パイプ７３の開閉孔７４は、ブラシ部１１の排出口１４に連結される。したがって、この状態で回転ツマミ５０を回転すると、充填室３２の歯磨きペーストがブラシ部１１に排出される。歯ブラシ部１０を回転して、弾性アーム１５の凸部１６を閉位置の嵌着凹部７６に案内すると、排出パイプ７３の開閉孔７４はブラシ部１１の排出口１４に連結さない位置となり、開閉孔７４は歯ブラシ部１０の連結軸１２で閉塞される。したがって、この状態で回転ツマミ５０を回転しても、歯磨きペーストはブラシ部１１に排出されない。閉位置で歯磨きペーストが押し出されないように、排出パイプ７３の外径は、連結軸１２の内径にほぼ等しくしている。ただ、排出パイプと連結軸は相対的に回転されるので、歯磨きペーストが漏れないわずかな隙間を設けている。
【図面の簡単な説明】
【００５４】
【図１】本発明の一実施例にかかる歯ブラシの斜視図である。
【図２】図１に示す歯ブラシの柄部の断面図である。
【図３】図２に示す柄部のＡ−Ａ線断面図である。
【図４】柄部の他の一例を示す断面図である。
【図５】図４に示す柄部のＡ−Ａ線断面図である。
【図６】柄部の他の一例を示す断面図である。
【図７】柄部の他の一例を示す断面図である。
【図８】図１に示す歯ブラシの歯ブラシ部と蓋材を示す分解斜視図である。
【図９】図１に示す歯ブラシの歯ブラシ部と柄部との連結構造を示す断面図である。
【符号の説明】
【００５５】
１０…歯ブラシ部
１１…ブラシ部
１２…連結軸
１３…筒部
１４…排出口
１５…弾性アーム
１６…凸部
１７…押しボタン        １７Ａ…頭部
１７Ｂ…ロッド部
２０…柄部
３０…本体筒
３１…充填筒部
３２…充填室
３３…雌ネジ筒部
３４…雌ネジ
３５…連結溝
３６…鍔部
３７…雄ネジ
４０…押出ロッド
４１…ピストン
４２…雄ネジ
４３…雄ネジ軸
４４…非円形軸孔
４５…抜止ストッパ
４９…Ｏリング
５０…回転ツマミ
５２…雌ネジ
５３…雌ネジ孔
５４…非円形軸
５５…円形凸条
５６…ツマミ筒
６０…中間筒
６１…雄ネジ
６２…雌ネジ
６３…中間雌ネジ孔
６５…抜止ストッパ
６６…鍔
７０…蓋材
７１…隔壁
７２…雌ネジ
７３…排出パイプ
７４…開閉孔
７５…係止部
７６…嵌着凹部
７７…スリット
８０…ストッパ機構
【図１】
2007222422.tif 000003
【図２】
2007222422.tif 000004
【図３】
2007222422.tif 000005
【図４】
2007222422.tif 000006
【図５】
2007222422.tif 000007
【図６】
2007222422.tif 000008
【図７】
2007222422.tif 000009
【図８】
2007222422.tif 000010
【図９】
2007222422.tif 000011